(57)【要約】【課題】最適な情報処理環境を提供する。【解決手段】画像読取装置１、画像印刷装置２、ハードディスク装置３、ハードディスク装置３の内部温度を検知するセンサ４、全体を制御するメインコントローラ９を備えた情報処理装置において、最大温度設定回路７および最小温度設定回路８を備え、メインコントローラ９は、最大温度設定回路７および最小温度設定回路８の設定温度をシステム起動時に所定のメモリ領域より読み込み、センサ４で検知した温度検知結果を基に画像読取装置１および画像印刷装置２を間欠動作で制御することにより、システム内部全体の温度上昇を抑え、ハードディスク装置３の温度上昇を抑える制御を行う。【選択図】      図１
2004336246.tif 000002
【特許請求の範囲】
【請求項１】
画像読取装置、画像印刷装置、ハードディスク装置、ハードディスク装置の内部温度を検知するセンサ、全体を制御するメインコントローラを備えた情報処理装置において、最大温度設定回路および最小温度設定回路を備え、前記メインコントローラは、前記最大温度設定回路および最小温度設定回路の設定温度をシステム起動時に所定のメモリ領域より読み込み、センサで検知した温度検知結果を基に前記画像読取装置および画像印刷装置を間欠動作で制御することにより、システム内部全体の温度上昇を抑え、前記ハードディスク装置の温度上昇を抑える制御を行うことを特徴とする情報処理装置。
【請求項２】
請求項１記載の情報処理装置において、前記メインコントローラの温度を検知する温度検知回路と、前記メインコントローラの温度とハードディスク装置の内部温度とを比較する比較演算回路と、冷却ファンとを備え、前記比較演算回路により演算された比較データおよび前記冷却ファンの回転数データを基に、現環境下において当該ハードディスク装置が使用できるか否かを判断することを特徴とする情報処理装置。
【請求項３】
請求項１記載の情報処理装置において、センサによるハードディスク装置内の温度検知結果により前記ハードディスク装置もしくはメインコントローラ、画像読取装置、画像印刷装置の電源供給を制御して温度上昇を抑えることを特徴とする情報処理装置。
【発明の詳細な説明】
【０００１】
【発明の属する技術分野】
本発明は、プリンタ、複写機、ＦＡＸ、複合機等でＨＤＤを搭載する画像形成装置に代表される情報処理装置に関するものである。
【０００２】
【従来の技術】
ＨＤＤを搭載する画像形成装置に関連して、例えば、特許文献１には、ＨＤＤの内部温度が動作保証温度範囲内になるように低ければ加熱、高ければ異なる動作クロックで処理、温度が所定温度範囲外ならば通知する技術が提案されている。
また例えば、特許文献２には、装置内に（ＨＤＤ近傍にも）複数の温度センサーを配置し検知温度が等しくなるように複数のファンを制御し、所定温度異常のときは警告表示する技術が提案されている。
また例えば、特許文献３には、ＨＤＤ内のＩＣの消費電力を下げる時は書込み時間と休止時間とを長くし、内部温度を下げる技術が提案されている。
【特許文献１】特開２００２−２４５７４９公報
【特許文献２】特開２０００−３４８４７９公報
【特許文献３】特開２００１−３３２０６８公報
【０００３】
【発明が解決しようとする課題】
上述したように従来より、ＨＤＤの内部温度が動作保証温度範囲内になるように低ければ加熱、高ければ異なる動作クロックで処理し、温度が所定温度範囲外なら通知するといった技術や、装置内に複数の温度センサーを配置し、検知温度が等しくなるように複数のファンを制御し、所定温度異常のときは警告表示を行うといった技術、またＨＤＤ内のＩＣの消費電力を下げる時は書込み時間と休止時間とを長くし、内部温度を下げるといった技術が提案されている。
それぞれＨＤＤ単体の熱を下げる効果をもたらしてきたが、各技術ともにパソコンに使用されることを想定しており、動作クロックを下げたり、書込み時間と休止時間を長くしたりといった間欠動作が可能なパソコンだからこそできた熱対策である。
ところが、画像形成装置に使用するとなると、一旦書込み命令を発行した後に画像書込装置の書込み速度は可変にすることは難しく、ひとたび印刷起動を掛けると一定速度のデータ転送を行う必要が有る。仮にＨＤＤの画像を印刷しようとすると、ＨＤＤから一定速度で画像書込装置にデータを転送し続けるか、もしくはＨＤＤからＲＡＭ等の高速メモリに一旦データを溜め込み、ＲＡＭから転送するかのいずれかの方法を取る必要が有る。ところが、前者にしても大量のデータが送られた時には途中で転送データが不足する可能性が有り、後者にしても大量の高速メモリを画像形成装置に搭載する必要が出てしまう。
本発明は、こうした転送データ不足や高速メモリの大容量化といった問題を印刷起動する前に事前に温度を検知することで解消し、かつ温度検知結果より使用環境下に適切かどうかをオペレータに通知することで最適な情報処理環境を提供することを目的とする。
【０００４】
【課題を解決するための手段】
上記目的を達成するために、請求項１記載の発明は、画像読取装置、画像印刷装置、ハードディスク装置、ハードディスク装置の内部温度を検知するセンサ、全体を制御するメインコントローラを備えた情報処理装置において、最大温度設定回路および最小温度設定回路を備え、前記メインコントローラは、前記最大温度設定回路および最小温度設定回路の設定温度をシステム起動時に所定のメモリ領域より読み込み、センサで検知した温度検知結果を基に前記画像読取装置および画像印刷装置を間欠動作で制御することにより、システム内部全体の温度上昇を抑え、前記ハードディスク装置の温度上昇を抑える制御を行うことを特徴とする。
請求項２記載の発明は、請求項１記載の情報処理装置において、前記メインコントローラの温度を検知する温度検知回路と、前記メインコントローラの温度とハードディスク装置の内部温度とを比較する比較演算回路と、冷却ファンとを備え、前記比較演算回路により演算された比較データおよび前記冷却ファンの回転数データを基に、現環境下において当該ハードディスク装置が使用できるか否かを判断することを特徴とする。
請求項３記載の発明は、請求項１記載の情報処理装置において、センサによるハードディスク装置内の温度検知結果により前記ハードディスク装置もしくはメインコントローラ、画像読取装置、画像印刷装置の電源供給を制御して温度上昇を抑えることを特徴とする。
【０００５】
【発明の実施の形態】
以下、図面により本発明の実施の形態を詳細に説明する。
図１は本発明の情報処理装置としての画像形成装置のブロック図である。本画像形成装置において、画像読取装置１は、ＣＣＤもしくは密着センサにて画像を読み取り、光電変換により電気信号に変換した後にアナログビデオ信号をＡ／Ｄ変換器により多値のデジタルビデオ信号に変換している。画像印刷装置２は、画像読取装置１でデジタル化され、様々な画像処理が施されたビデオ信号をレーザーにて感光体ドラム等に書き込んで静電潜像を形成し、電子写真方式で印字出力を行っている。
ハードディスク装置３は、画像読取装置１で読み取ったデジタルビデオ信号を、両面印刷や電子ソート等の機能実現のために一時的に蓄積する、印刷画像を後で出力できるように保存する、もしくはスキャナ装置として画像を保存するといった多目的な用途に使用される。センサ４は、ハードディスク装置３の内部温度を検知する。冷却ファン装置５は、主にハードディスク装置３を冷却する。
冷却ファン制御回路６は、冷却ファン装置５の回転数を検知もしくは制御するものであり、冷却ファン装置５より送られてくるパルス信号を読み取って回転数を検知し、逆に制御パルス信号を冷却ファン装置５に送出することで冷却ファン装置５の回転を制御している。最大温度設定回路７は、画像形成装置がシステムとして動作を保証する最大温度を設定する。最小温度設定回路８は、逆に画像形成装置がシステムとして動作を保証する最小温度を設定する。
【０００６】
メインコントローラ９は、ＣＰＵによりシステム全体の制御、画像処理、ホストインターフェース制御等を行っている。温度検知回路１０は、メインコントローラ９上にあり、コントローラ基板上にサーマルダイオード等の素子を搭載して温度検知を行っている。比較演算回路１１は、温度検知回路１０で検知したメインコントローラ９上の温度とセンサ４で検知したハードディスク装置３内部の温度の比較演算を行う。
電源遮断制御回路１２は、ハードディスク装置３のみの電源を遮断制御する制御回路である。電源遮断制御回路１３は、メインコントローラ９上の冷却ファン装置５以外の電源を遮断制御する制御回路である。電源遮断制御回路１４は、画像読取装置１および画像印刷装置２の操作部以外の供給電源を遮断制御する制御回路である。
【０００７】
次に各実施例での本装置の動作について示す。
通常の動作としては、常にセンサ４によりハードディスク装置３内の温度検知を行っていて、温度条件により冷却ファン制御回路６に制御信号を送出することで、冷却ファン装置５がハードディスク装置３を冷却して正常にシステムを動作させている。
第１実施例では、最大温度設定回路７および最小温度設定回路８の設定温度をシステム起動時に所定のメモリ領域より読み込み、センサ４で検知した温度検知結果を基にメインコントローラ９で画像読取装置１および画像印刷装置２を間欠動作で制御することにより、システム内部全体の温度上昇を抑え、ハードディスク装置３の温度上昇を抑えている。
第２実施例では、センサ４によりハードディスク装置３内の温度を検知するのと平行に温度検知回路１０でメインコントローラ９の温度を検知して、比較演算回路１１で各地点の温度およびその温度差、さらには冷却ファン制御回路６で検知した冷却ファンの回転数より、画像形成装置を動作させるのに問題無い環境か判断し、もし、故障等が懸念される危険温度に達していると判断した場合には、判断結果を操作部表示もしくはブザー等によりオペレータに通知する。
第３実施例では、センサ４によるハードディスク装置３内の温度検知結果によりハードディスク装置３もしくはメインコントローラ９、画像読取装置１、画像印刷装置２等の電源供給を制御することで温度上昇を抑えている。
まず、温度検知結果が設定最大温度よりもかなり低い場合にはどの電源も遮断せず、通常動作を行う。温度検知結果が設定最大温度にやや近い場合にはメインコントローラ９上の冷却ファン装置５および冷却ファン制御回路６に供給している電源を遮断する。温度検知結果が設定最大温度にかなり近い場合にはさらに温度上昇を抑えるために画像読取装置１および画像印刷装置２の大部分の回路を電源遮断して温度上昇を抑える。その場合、操作部だけは異常環境になった場合でも即座にオペレータに通知できるように電源供給を行うようにしている。
【０００８】
【発明の効果】
以上説明したように、請求項１記載の発明によれば、画像読取装置、画像印刷装置、ハードディスク装置、ハードディスク装置の内部温度を検知するセンサ、全体を制御するメインコントローラを備えた情報処理装置において、最大温度設定回路および最小温度設定回路を備え、メインコントローラは、最大温度設定回路および最小温度設定回路の設定温度をシステム起動時に所定のメモリ領域より読み込み、センサで検知した温度検知結果を基に画像読取装置および画像印刷装置を間欠動作で制御することにより、システム内部全体の温度上昇を抑え、ハードディスク装置の温度上昇を抑えることかができる。
請求項２記載の発明によれば、メインコントローラの温度を検知する温度検知回路と、メインコントローラの温度とハードディスク装置の内部温度とを比較する比較演算回路と、冷却ファンとを備え、比較データおよび冷却ファン回転数データを基に、現環境下において使用できるか否かを判断することで、情報処理装置の故障を未然に防止することができる。
請求項３記載の発明によれば、センサによるハードディスク装置内の温度検知結果によりハードディスク装置もしくはメインコントローラ、画像読取装置、画像印刷装置の電源供給を制御して温度上昇を抑えることで上記と同様の効果を奏する。
【図面の簡単な説明】
【図１】本発明の情報処理装置としての画像形成装置のブロック図である。
【符号の説明】
１  画像読取装置、２  画像印刷装置、３  ハードディスク装置、４  センサ、５  冷却ファン装置、７  最大温度設定回路、８  最小温度設定回路、９  メインコントローラ
【図１】
2004336246.tif 000003